(57)【特許請求の範囲】
【請求項１】
医療スタッフが医療機器の操作や医療行為の準備を行う医療スタッフ室と、
前記医療スタッフ室を囲み、前記医療スタッフが受診者に医療行為を行う複数の医療室と、
前記複数の医療室を囲み、異なる属性の前記受診者ごとに待合仕切壁で仕切られた複数の待合室と、
前記複数の待合室を囲み、異なる属性の前記受診者ごとに通路仕切壁で仕切られた待合兼用通路と、
前記待合仕切壁に設けられ、隣接する前記待合室へ出入りできる待合室間出入口と、
前記医療室と前記待合室を仕切る前記壁に設けられた受診者出入口と、
を有する医療エリア。
【請求項２】
前記待合仕切壁で仕切られた複数の前記待合室と、前記通路仕切壁で仕切られた複数の前記待合兼用通路は、同じ属性ごとに隣接して配置され、前記待合室と前記待合兼用通路を仕切る壁には、属性の同じ受診者が出入りする待合出入口が設けられている請求項１に記載の医療エリア。
【請求項３】
前記医療スタッフ室と前記医療室を仕切る壁に設けられたスタッフ出入口と、
前記待合兼用通路を囲む施設内通路と、
前記待合兼用通路と前記施設内通路とを仕切る壁に設けられた一般出入口と、
を有する請求項１又は２のいずれか１項に記載の医療エリア。
【請求項４】
前記待合兼用通路の前記通路仕切壁には、互いの前記待合兼用通路へ移動できる通路間出入口が設けられ、
前記一般出入口は、前記通路仕切壁で仕切られた前記待合兼用通路ごとに複数設けられている請求項３に記載の医療エリア。
【請求項５】
前記医療室を仕切る医療仕切壁、前記待合仕切壁、及び前記通路仕切壁を、間仕切り位置を変更できる可変仕切壁とした請求項１〜４のいずれか１項に記載の医療エリア。
【請求項６】
請求項1〜５のいずれか１項に記載の医療エリアが異なるフロアに配置され、前記医療エリアの待合兼用通路は、垂直方向に移動可能な垂直移動手段でつながれている医療施設。
【発明の詳細な説明】
【技術分野】
【０００１】
本発明は、医療スタッフが医療行為を行い、受診者が待機、移動する医療エリア及び医療施設に関する。
【背景技術】
【０００２】
高度医療を提供する医療施設では、医療行為（検査、治療、診断）を受ける受診者のプライバシーを保護しながら、待ち時間の少ないスムーズな対応が求められている。
【０００３】
また、医療施設の経営効率を高めるためには、高機能な医療機械類の効率的な活用や、医療スタッフの適正な配置等が求められている。
これらは、医療施設のレイアウトに大きく依存しており、受診者の動線及び医療スタッフの動線を考慮し、それらのいずれもが極力交わらないようにする医療施設のレイアウトが重要となる。
【０００４】
受診者の動線を考慮した医療施設のレイアウトに関する技術としては、例えば、受診者の動線を一方通行に制限した放射線健診施設の施設構造がある（特許文献１）。
特許文献１に記載された放射線健診施設では、検査項目が限定されており、受診者の動線を一方通行に制限することで目的を達成できると思われる。
【０００５】
しかし、例えば、大規模な健診施設では、受診者の数が多い上に、種類の異なる多くの検査項目を短時間に検査しなければならないため、一方通行のみの制限ではスムーズな検査は困難であり、受診者数や検査の進行状況の変化に応じてフレキシブルに対応できる施設構造が求められている。
【０００６】
更に、近年は、受診者の属性として、男女の区別のみならず、医療施設における会員と非会員の区別等の、より多くの属性への対応要求も強くなっており、多くの属性のプライバシーを考慮した施設構造が求められている。
【特許文献１】特開２００６−２００２５６号公報
【発明の開示】
【発明が解決しようとする課題】
【０００７】
本発明は、上記事実に鑑み、医療スタッフが効率よく医療行為ができ、受診者のプライバシーを守りながら、受診者数の増減や医療行為の進行状況の変化にフレキシブルに対応可能な、医療エリア及び医療施設を提供することを目的とする。
【課題を解決するための手段】
【０００８】
請求項１に記載の発明に係る医療エリアは、医療スタッフが医療機器の操作や医療行為の準備を行う医療スタッフ室と、前記医療スタッフ室を囲み、前記医療スタッフが受診者に医療行為を行う複数の医療室と、前記複数の医療室を囲み、異なる属性の前記受診者ごとに待合仕切壁で仕切られた複数の待合室と、前記複数の待合室を囲み、異なる属性の前記受診者ごとに通路仕切壁で仕切られた待合兼用通路と、前記待合仕切壁に設けられ、隣接する前記待合室へ出入りできる待合室間出入口と、前記医療室と前記待合室を仕切る前記壁に設けられた受診者出入口と、を有することを特徴としている。
【０００９】
請求項１に記載の発明によれば、医療スタッフを囲んで医療室が設けられ、医療室を囲んで待合室が設けられ、待合室を囲んで待合兼用通路が設けられている。このとき、待合室は、異なる属性の前記受診者ごとに待合仕切壁で仕切られ、待合兼用通路は、異なる属性の受診者ごとに通路仕切壁で仕切られ、待合仕切壁は、隣接する待合室へ出入りできる待合室間出入口が設けられ、医療室と待合室を仕切る壁には、医療室へ出入りできる受診者出入口が設けられている。
これにより、医療スタッフが医療行為を行うために移動する動線を短くできる。同時に、受診者が医療を受けるために移動する動線を短くできる。
【００１０】
また、待合室は、異なる属性の受診者ごとに待合仕切壁で仕切られ、他の待合室と待合室間出入口を通って互いの待合室に出入りできる。また、受診者は、受診者出入口を通って待合室から医療室へ出入りできる。これにより、受診者は次の待合室への出入りにおいて待合兼用通路を使う必要がないので、受診者の動線が短くなる。また、属性の異なる受診者と出会うことはなく、受診者のプライバシーが守られる。
【００１１】
また、待合兼用通路は、この待合兼用通路を利用する複数の異なる属性の受診者ごとに通路仕切壁で仕切られており、待合兼用通路で異なる属性の受診者が出会うことはない。
【００１２】
さらに、待合兼用通路は、待合室に他の受診者が待機しているときに待機させる待合室として利用される。このとき、待合室と待合兼用通路を属性の同じ受診者ごとに区画することで、待合室から待合兼用通路に出たとき、属性の異なる受診者同士が出会うことがない。
このように、受診者が受診しようとする医療室に隣接させて受診者が待機する待合室を設けることで、受診者のプライバシーを守りながら、スムーズな受診ができる。
【００１３】
請求項２に記載の発明は、請求項１に記載の医療エリアにおいて、前記待合仕切壁で仕切られた複数の前記待合室と、前記通路仕切壁で仕切られた複数の前記待合兼用通路は、同じ属性ごとに隣接して配置され、前記待合室と前記待合兼用通路を仕切る壁には、属性の同じ受診者が出入りする待合出入口が設けられていることを特徴としている。
請求項２に記載の発明によれば、待合室と待合兼用通路は、いずれも異なる属性の数に仕切られており、同じ属性ごとに隣接して配置される。待合室と待合兼用通路を仕切る壁に設けられた待合出入口で同じ受診者が出入りできる。
これにより、属性の異なる受診者と出会うことはなく、受診者のプライバシーが守られる。
【００１４】
請求項３に記載の発明は、請求項１又は２のいずれか１項に記載の医療エリアにおいて、前記医療スタッフ室と前記医療室を仕切る壁に設けられたスタッフ出入口と、前記待合兼用通路を囲み、前記待合兼用通路との間を壁で仕切って設けられた施設内通路と、前記待合兼用通路と前記施設内通路とを仕切る前記壁に設けられ、前記待合兼用通路へ出入りできる一般出入口と、を有することを特徴としている。
【００１５】
請求項３に記載の発明によれば、医療スタッフは、スタッフ出入口で隣接した医療スタッフ室と医療室の間を移動できる。また、待合兼用通路は施設内通路で囲まれ、受診者は、施設内通路から待合兼用通路へ、一般出入口を通って出入りできる。
これにより、医療スタッフが医療スタッフ室から医療室へ移動する動線を短くでき、医療スタッフが効率的に医療行為を行える。このとき、医療スタッフ室から複数の医療室へ移動できるため、医療スタッフが複数の医療行為を兼用することが可能となり、経費節減が期待できる。
また、一般の人が通行する施設内通路と受診者が通行する待合兼用通路が区画されており、受診者のプライバシーが守られる。
【００１６】
また、待合室で待機している受診者は、受診者出入口を通り待合室と医療室との間を移動できる。これにより、受診者は受診する医療室に直接出入りでき、受診者のプライバシーが守られる。
【００１７】
また、次の待合室へ移動する受診者は、待合室間出入口を通り直接次の待合室へ移動できると共に、待合出入口を通り待合兼用通路を経由して次の待合室へ移動できる。２つの経路を使い分けることで、受診者のスムーズな移動が確保される。
【００１８】
請求項４に記載の発明は、請求項３に記載の医療エリアにおいて、前記待合兼用通路の前記通路仕切壁には、互いの前記待合兼用通路へ移動できる通路間出入口が設けられ、前記一般出入口は、前記通路仕切壁で仕切られた前記待合兼用通路ごとに複数設けられていることを特徴としている。
【００１９】
請求項４に記載の発明によれば、受診者は、通路間出入口を通り待合兼用通路を移動できる。また、受診者は、異なる属性ごとに一般出入口を通り、施設内通路から通路仕切壁で仕切られた待合兼用通路へ出入りできる。
このように、施設内通路若しくは待合室を迂回することなく直接待合兼用通路を移動できるので、動線が短くなる。また、施設内通路若しくは待合室に迂回することで、他の属性の受診者と出会うのを避けることができる。
また、施設内通路から直接、それぞれの属性ごとに通路仕切壁で仕切られた待合兼用通路へ出入りできるので、受診者のプライバシーが守られる。
【００２０】
さらに、待合兼用通路を移動する受診者と、待合室を移動する受診者の２つの動線を確保できるため、異なる属性の受診者が出会うのを避けることができる。
【００２１】
請求項５に記載の発明は、請求項１〜４のいずれか１項に記載の医療エリアにおいて、前記医療室を仕切る医療間仕切壁、前記待合仕切壁、及び前記通路間仕切壁を、間仕切り位置が変更できる可変仕切壁としたことを特徴としている。
【００２２】
請求項５に記載の発明によれば、可変仕切壁で、医療仕切壁、待合仕切壁及び通路仕切壁が形成されている。
これにより、受診者の属性ごとの人数の多少に応じて適正な面積の医療室、待合室及び待合兼用通路が容易に確保できる。
【００２４】
請求項６に記載の発明に係る医療施設は、請求項1〜５のいずれか１項に記載の医療エリアが異なるフロアに配置され、前記医療エリアの待合兼用通路は、垂直方向に移動可能な垂直移動手段でつながれていることを特徴としている。
これにより、受診者は、他の属性の受診者と出会うことなく、異なる階にある医療エリアの待合兼用通路にスムーズに移動できる。
【発明の効果】
【００２５】
本発明は、上記構成としてあるので、医療スタッフが効率よく医療行為ができ、受診者のプライバシーを守りながら、受診者数の増減や医療行為の進行状況の変化にフレキシブルに対応可能な、医療エリア及び医療施設を提供できる。
【発明を実施するための最良の形態】
【００２６】
（第１の実施の形態）
医療エリアの構成を検査、診断、治療からなる医療行為のうち、検査を行う検査ゾーンに適用した実施例について説明する。
【００２７】
なお、多くの医療施設では、受診者へのサービスの向上の一環として、受診者に対して、例えば、属性別に男性と女性の２つの属性によるグループ分けに加え、会員の受診者と一般の受診者のグループ分けや、検査項目別、年齢別などのグループ分けを行い、これらの少なくとも１つ以上のグループ分けにより検査を行い、他のグループと出会わないようにすることでプライバシーの保護を図っている。
【００２８】
そこで、検査を受ける受診者を６つのグループＸ１〜Ｘ６に分けた例について、以下説明する。
図１に示すように、第１の実施の形態に係る医療エリア１０は、受診者、スタッフ及びそれ以外の医療施設利用者が通行する施設内通路１２で囲まれている。施設内通路１２のコーナー部には、他の施設内通路１３、９４、１０２から出入り可能な出入り口１５Ａ、１５Ｂが設けられている。
【００２９】
施設内通路１２で囲まれている部分は、受診者の６つのグループＸ１〜Ｘ６に対応させて６つのブロックＡ〜Ｆに分けられている。それぞれのブロックの間には、後述する視界を遮る仕切壁が設けられ、他のグループの受診者が出会わないようにしている。
【００３０】
施設内通路１２の内側には、施設内通路１２に囲まれ、施設内通路１２の内周面と隣接する６つの待合兼用通路１４Ａ〜１４Ｆが設けられている。待合兼用通路１４Ａ〜１４Ｆは６つの通路仕切壁１８Ａ〜１８Ｆで仕切られている。
【００３１】
待合兼用通路１４Ａ〜１４Ｆの内側には、待合兼用通路１４Ａ〜１４Ｆに囲まれ、待合兼用通路１４Ａ〜１４Ｆの内周面と隣接する待合室２４Ａ〜２４Ｆが設けられている。
待合室２４Ａ〜２４Ｆは待合兼用通路１４Ａ〜１４Ｆの通路仕切壁１８に対応させた位置に設けられた６つの待合仕切壁２６Ａ〜２６Ｆで仕切られている。
【００３２】
待合室２４Ａ〜２４Ｆは、後述する医療室３２Ａ〜３２Ｌと同じ数の待合ゾーン２４ａ〜２４ｌに仕切ることができる。
このように、待合室２４Ａ〜２４Ｌは６つの部屋を１２のゾーンに区分けしており、部屋の数とゾーンの数は一致しない。
【００３３】
待合室２４Ａ〜２４Ｆの内側には、待合室２４Ａ〜２４Ｆに囲まれ、待合室２４Ａ〜２４Ｆの内周面と隣接して医療室３２Ａ〜３２Ｌが設けられている。医療室３２Ａ〜３２Ｌは、視界を遮る１２の医療室仕切壁３４Ａ〜３４Ｌにより仕切られ、それぞれの医療室３２Ａ〜３２Ｌで検査がなされる。
【００３４】
医療室３２Ａ〜３２Ｌの内側には、医療室３２Ａ〜３２Ｌに囲まれ、医療室３２Ａ〜３２Ｌの内周面と隣接して医療スタッフ室４０が設けられている。
【００３５】
医療スタッフ室４０では、医療スタッフが検査の準備をし、検査機器類を操作する。このため、医療スタッフと検査機器類を医療スタッフ室４０へ集約して適正に配置することで、医療スタッフが、医療行為を効率的に行える。
【００３６】
即ち、医療スタッフ室４０をコアとし、医療スタッフ室４０を医療室３２Ａ〜３２Ｌが囲む構成とすることで、医療スタッフが医療スタッフ室４０から医療室３２Ａ〜３２Ｌへ移動するときの動線が短くなり、効率的な移動ができる。更に、医療室３２Ａ〜３２Ｌが互いに隣接して設けられることで、１人の医療スタッフで複数の検査を平行して行うことが可能となり、医療スタッフの効率的な活用につながる。
【００３７】
図１の構成において、例えば範囲Ｇ１で示す、待合兼用通路１４Ａ、待合室２４Ａ、医療室３２Ａ〜３２ＣをブロックＡとし、範囲Ｇ２で示す、待合兼用通路１４Ｂ、待合室２４Ｂ、医療室３２ＤをブロックＢとし、範囲Ｇ３で示す、待合兼用通路１４Ｃ、待合室２４Ｃ、医療室３２Ｅ〜３２ＧをブロックＣとし、範囲Ｇ４で示す、待合兼用通路１４Ｄ、待合室２４Ｄ、医療室３２Ｈ、３２ＩをブロックＤとし、範囲Ｇ５で示す、待合兼用通路１４Ｅ、待合室２４Ｅ、医療室３２ＪをブロックＥとし、範囲Ｇ６で示す、待合兼用通路１４Ｆ、待合室２４Ｆ、医療室３２Ｋ、３２ＬをブロックＦとし、この６つのブロックＡ〜Ｆに６つのグループＸ１〜Ｘ６の受診者をそれぞれ割り当てる。
【００３８】
これにより、ゾーンＡ〜Ｆはそれぞれ視界を遮る壁で仕切られる空間となっており、グループＸ１〜Ｘ６の受診者が異なるグループの受診者と出会うことはない。
【００３９】
次に、医療エリア１０を詳しく説明する。
図２に示すように、施設内通路１２と待合兼用通路１４Ａ〜１４Ｆの間は視界を遮る壁２０で仕切られている。
【００４０】
壁２０には、施設内通路１２から、６つの待合兼用通路１４Ａ〜１４Ｆにそれぞれ直接に出入りできる、一般出入口１６Ａ〜１６Ｆが設けられている。例えば待合兼用通路１４Ａには、一般出入口１６Ａから入る。
【００４１】
グループＸ１〜Ｘ６に分けられた受診者は、施設内通路１２をそれぞれのブロックＡ〜Ｆの位置まで移動し、一般出入口１６Ａ〜１６Ｆを通り、それぞれ目的とする待合兼用通路１４Ａ〜１４Ｆに入る。これにより、グループＸ１〜Ｘ６の受診者が、異なるグループの受診者と待合兼用通路１４Ａ〜１４Ｆで出会うことはなく、受診者のプライバシーが保護される。
なお、待合兼用通路１４Ａ〜１４Ｆに設けられた通路仕切壁１８Ａ〜１８Ｆは、位置を変更できる可変間仕切りであり、必要に応じて通路仕切壁１８Ａ〜１８Ｆの位置を変更できる。
【００４２】
例えば、待合兼用通路室１４Ａについて説明すると、待合兼用通路１４Ａと１４Ｂとの間の通路仕切壁１８Ａは、通路仕切壁の位置を示す破線１８Ａ１と１８Ａ２の位置に変更できる。また、待合兼用通路１４Ａと１４Ｆの間の通路仕切壁１８Ｆは、破線１８Ｆ１〜１８Ｆ４のそれぞれの位置に変更できる。
【００４３】
他の通路仕切壁１８Ｂ〜１８Ｅも同じ構造であり、それぞれの待合兼用通路室１４Ｂ〜１４Ｆに設けられた破線で示す仕切壁の位置に変更できる。
これにより、受診者の人数や、検査の進行状況により待合兼用通路室１４Ａ〜１４Ｆの大きさを調整できる。
【００４４】
また、通路仕切壁１８Ａ〜１８Ｆには、隣の待合兼用通路室１４Ａ〜１４Ｆに移動できる通路間出入口２２Ａ〜２２Ｆが設けられている。
これにより、施設内通路１２に出ることなく、隣の待合兼用通路１４Ａ〜１４Ｆに移動できる。
【００４５】
なお、通路仕切壁１８Ａ〜１８Ｆは、ドアを有する移動型の壁でなくてもよく、例えば視界を遮ることができるスライディングウォール、ロールブラインド、横引きカーテン、移動型衝立等でも良い。
【００４６】
待合兼用通路１４Ａ〜１４Ｆと待合室２４Ａ〜２４Ｆの間は視界を遮る壁２８で仕切られており、壁２８には待合ゾーン２４ａ〜２４ｌに対応させて、同じ数の待合出入口４４ａ〜４４ｌが設けられている。
【００４７】
これにより、グループＸ１〜Ｘ６は、それぞれのブロック内に設けた待合出入口４４ａ〜４４ｌを利用して、目的とする待合室２４Ａ〜２４Ｄに入ることができる。
【００４８】
これにより、６つのグループＸ１〜Ｘ６に分けられた受診者は、６つの待合兼用通路室１４Ａ〜１４Ｆから、６つの待合室２４Ａ〜２４Ｆに直接入れ、６つのグループＸ１〜Ｘ６の受診者が、異なるグループの受診者と待合室２４Ａ〜２４Ｆで出会うことはなく、プライバシーが保護される。
【００４９】
なお、待合室２４Ａ〜２４Ｆを仕切る待合仕切壁２６Ａ〜２６Ｆも、上述の通路仕切壁１８Ａ〜１８Ｆと同じ、仕切り位置を変更できる可変間仕切りであり、必要に応じて待合仕切壁２６ｃ〜２６ｌの位置を変更できる。
【００５０】
例えば、待合室２４Ａについて説明すると、待合室２４Ａと２４Ｂとの間の待合仕切壁２６Ａは、待合仕切壁の位置を示す破線２６Ａ１と２６Ａ２の位置に変更できる。また、待合室２４Ａと２４Ｆとの間の待合仕切壁２６Ｆは、破線２６Ｆ１と２６Ｆ２の間の位置に変更できる。
【００５１】
他の待合仕切壁２６Ｂ、２６Ｃ、２６Ｄ、２６Ｅも同じ構造であり、それぞれの待合室２４Ｂ、２４Ｃ、２４Ｄ、２４Ｅに設けられた破線で示す位置に変更できる。
これにより、受診者の人数により待合室２４Ａ〜２４Ｆの大きさを調整できる。
【００５２】
また、待合仕切壁２６Ａ〜２６Ｆには、隣の待合室２４Ａ〜２４Ｆに移動できる待合室間出入口３０Ａ〜３０Ｆが設けられている。
これにより、待合兼用通路１４Ａ〜１４Ｆに出ることなく、隣の待合室２４Ａ〜２４Ｆに移動できる。
【００５３】
なお、待合仕切壁２６Ａ〜２６Ｆは、ドアを有する移動型の壁でなくてもよく、例えば視界を遮ることができるスライディングウォール、ロールブラインド、横引きカーテン、移動型衝立等でも良い。
【００５４】
また、待合室２４Ａ〜２４Ｆを仕切る待合仕切壁２６Ａ〜２６Ｆに加え、医療室３２Ａ〜３２Ｌに対応させて破線で示す待合仕切壁の位置に、新たに待合仕切壁を追加することもできる。
【００５５】
待合室２４Ａ〜２４Ｆと医療室３２Ａ〜３２Ｌの間には、視界を遮る壁３８が設けられ、壁３８には、医療室３２Ａ〜３２Ｌに対応させて受診者出入口４６Ａ〜４６Ｌが設けられている。
【００５６】
これにより、グループＸ１〜Ｘ６は、それぞれの受診者出入口４６Ａ〜４６Ｌを通り医療室３２Ａ〜３２Ｌへ入り、検査を受ける。
医療室３２Ａ〜３２Ｌの内部には、医療室３２Ａ〜３２Ｌに隣接し、医療室３２Ａ〜３２Ｌに囲まれた医療スタッフ室４０が設けられている。
【００５７】
医療室３２Ａ〜３２Ｌと医療スタッフ室４０の間には視界を遮る壁４２が設けられ、壁４２にはフタッフ出入口３６Ａ〜３６Ｌが設けられている。
医療スタッフは、医療スタッフ室４０と医療室３２Ｈ〜３２Ｓとの間をスタッフ出入口３６Ｈ〜３６Ｓを利用して出入りする。
【００５８】
これにより、グループＸ１〜Ｘ６の受診者は、施設内通路１２からそれぞれ希望する検査を受けるまで、それぞれブロックＡ〜Ｆの内部を移動することとなり、他のグループの受信者と出会うことはない。
【００５９】
例えば、グループＸ１は、ブロックＡ内の施設内通路１２からドア１６Ａ、待合兼用通路１４Ａ及びドア４４ａ〜４４ｃを順に通り待合室２４Ａに入り、検査室３２Ａ〜３２Ｃで検査を受ける。
【００６０】
グループＸ２は、ブロックＢ内の施設内通路１２からドア１６Ｂ、待合兼用通路１４Ｂ及びドア４４ｄを移動して待合室２４Ｂに入り、検査室３２Ｄで検査を受ける。
グループＸ３は、ブロックＣ内の施設内通路１２からドア１６Ｃ、待合兼用通路１４Ｃ及びドア４４ｅ〜４４ｇを順に通り待合室２４Ｃに入り、検査室３２Ｅ〜３２Ｇで検査を受ける。
【００６１】
グループＸ４は、ブロックＤ内の施設内通路１２からドア１６Ｄ、待合兼用通路１４Ｄ及びドア４４ｈ、４４ｉを順に通り待合室２４Ｄに入り、検査室３２Ｈ、３２Ｉで検査を受ける。
グループＸ５は、ブロックＥ内の施設内通路１２からドア１６Ｅ、待合兼用通路１４Ｅ、ドア４４ｊを順に通り待合室２４Ｅに入り、検査室３２Ｊで検査を受ける。
【００６２】
グループＸ６は、ブロックＦ内の施設内通路１２からドア１６Ｆ、待合兼用通路１４Ｆ及びドア４４ｋ、４４ｌを順に通り待合室２４Ｆに入り、検査室３２Ｋ、３２Ｌで検査を受ける。
【００６３】
次に、最初のブロックでの検査を終了し、次のブロックでの検査を受けるための受診者の移動について説明する。
グループＸ１〜Ｘ６の受診者を効率良く移動させるため、グループＸ１〜Ｘ６が移動する通路を一方通行とし、被験者の待機時間が最少になるよう検査の順序と時刻を予め定めておき、その予定に従って検査を行う。
【００６４】
図３に示すように、例えば、グループＸ１がブロックＡの医療室３２Ａ〜３２Ｃでの検査を終了して、ブロックＢにある医療室３２Ｄへ移動する場合には、破線の矢印Ｘ１で示すように、医療室３２Ａ〜３２Ｃを出て、待合室２４Ａを通り、待合兼用通路１４Ａに出る。そして、通路間出入口２２Ａを通り、待合兼用通路１４Ｂまで移動する。そして、グループＸ２が待合室２４Ｂを出るのを確認後、待合室２４Ｂで待機し、医療室３２Ｄで検査を受ける。
【００６５】
グループＸ２がブロックＢの医療室３２Ｄでの検査を終了して、ブロックＣの医療室３２Ｅ〜３２Ｇへ移動する場合には、破線の矢印Ｘ２で示すように、医療室３２Ｄを出て、待合室２４ＢでグループＸ３が待合室２４Ｃから移動するのを確認後、待合室間出入口３０Ｂを通り、待合室２４Ｃへ移動する。待合室２４Ｃで待機して、医療室３２Ｅ〜３２Ｇで検査を受ける。
【００６６】
グループＸ３がブロックＣの医療室３２Ｅ〜３２Ｇでの検査を終了して、ブロックＤの医療室３２Ｈ、３２Ｉへ移動する場合には、破線の矢印Ｘ３で示すように、医療室３２Ｅ〜３２Ｇを出て、待合室２４Ｃを通り、待合兼用通路１４Ｃに出る。そして、通路間出入口２２Ｃを通り、待合兼用通路１４Ｄに移動する。グループＸ４が待合室２４Ｄを出るのを確認後、待合室２４Ｄに入り、医療室３２Ｈ、３２Ｉで検査を受ける。
【００６７】
グループＸ４がブロックＤの医療室３２Ｈ、３２Ｉでの検査を終了して、ブロックＥの医療室３２Ｊへ移動する場合には、破線の矢印Ｘ４で示すように、医療室３２Ｈ、３２Ｉを出て、待合室２４Ｄを通り、グループＸ５が待合室２４Ｅを出るのを確認後、待合室２４Ｅに入り、医療室３２Ｊで検査を受ける。
【００６８】
グループＸ５がブロックＥの医療室３２Ｊでの検査を終了して、ブロックＦの医療室３２Ｋ、３２Ｌへ移動する場合には、破線の矢印Ｘ５で示すように、医療室３２Ｊを出て、待合室２４Ｅを通り、待合兼用通路１４Ｅに出る。そして、通路間出入口２２Ｅを通り待合兼用通路１４Ｆに移動する。グループＸ６が待合室２４Ｆを出るのを確認後、待合室２４Ｆに入り、医療室３２Ｋ、３２Ｌで検査を受ける。
【００６９】
グループＸ６がブロックＦの医療室３２Ｋ、３２Ｌでの検査を終了して、ブロックＡの医療室３２Ａ〜３２Ｃへ移動する場合には、破線の矢印Ｘ６で示すように、医療室３２Ｋ、３２Ｌを出て、待合室２４Ｆに出る。そして、グループＸ１が待合室２４Ａを出るのを確認後、通路間出入口３０Ｆを通り待合室２４Ａに入り、医療室３２Ａ〜３２Ｃで検査を受ける。
【００７０】
このように、各グループＸ１〜Ｘ６の移動時に、待合室２４Ａ〜２４Ｆと待合兼用通路１４Ａ〜１４Ｄを使い分けることで、グループＸ１〜Ｘ６の動線を分け、スムーズな移動ができる。このとき、移動先に、他のグループがまだ残っている場合には、後から追いついてきた方のグループを、移動先の手前となる待合室２４Ａ〜２４Ｆ、若しくは待合兼用通路１４Ａ〜１４Ｄで待機させ、異なるグループが出会うのを防ぐ。
【００７１】
なお、図４に示すように、待合兼用通路１４Ａ〜１４Ｄでの他のグループとの重複を避けるために、必要に応じて、通路仕切壁１８Ａ〜１８Ｄの位置を変更してもよい。
例えば通路仕切壁１８Ｄを、破線の位置から実線の通路仕切壁１８Ｄ３の位置に移動させ、待合兼用通路１４Ｄの範囲を拡大して他のグループとの重複を避けることもできる。
【００７２】
次に、グループＸ１〜Ｘ６により検査項目が異なり、あるグループが不要な検査を省略して、先のグループを追い越す場合について説明する。
【００７３】
図５に示すように、例えば、グループＸ２がブロックＢの医療室３２Ｄでの検査を終了して、ブロックＣの医療室３２Ｅ〜３２Ｇでの検査、及びブロックＤの医療室３２Ｈ、３２Ｉでの検査を省略し、グループＸ３を追い越してブロックＥの医療室３２Ｊへ移動する場合について説明する。このとき、可変間仕切り１８Ｄ３は閉じておく。
【００７４】
破線の矢印Ｘ２で示すように、グループＸ２は、医療室３２Ｄを出て待合室２４Ｂに移動し、グループＸ３が医療室３２Ｅ〜３２Ｇでの検査を終了して、待合室２４Ｃを通り、待合兼用通路１４Ｃに移動したのを確認する。その後、待合室間出入口３０Ｂを通り、待合室２４Ｃに入り、待合室２４Ｃで待機する。
このとき、グループＸ１は、グループＸ２が待合室２４Ｂを移動したのを確認後、待合室２４Ｂに入る。
【００７５】
次に、グループＸ２は、グループＸ３が待合兼用通路１４Ｃ、１４Ｄを移動して待合室２４Ｄに入ったのを確認して、待合兼用通路１４Ｃ、１４Ｄ、１４Ｅ１を移動し、待合兼用通路１４Ｅ１で待機する。
【００７６】
そして、グループＸ４が、待合室２４Ｅから待合兼用通路１４Ｅ２に移動したのを確認後、グループＸ２は待合室２４Ｅに入る。これにより、グループＸ２は他のグループと合うことがなく医療室３２Ｊに入り、検査を受けることができる。
【００７７】
このとき、グループＸ３は待合室２４Ｄで待機し、グループＸ２が医療室３２Ｊでの検査を終えて待合兼用通路１４Ｅ２に移動したのを確認後、待合室２４Ｅに入る。
【００７８】
これにより、グループＸ２は、不要な検査を省略でき、しかもグループＸ３を追い越してもスムーズな検査が確保される。また、他のグループと出会うことはなくプライバシーを守りながら検査時間の短縮ができる。
【００７９】
上記の方法は、突然のキャンセルが出た場合や検査機器の不具合などで検査が計画通りに進行しない場合等でも利用できる。
なお、上述のグループＸ１〜Ｘ６の移動や待機の指示は、医療スタッフが医療スタッフ室４０で集中管理している情報を用いて、グループＸ１〜Ｘ６ごとに進行状況を把握し、グループＸ１〜Ｘ６ごとに行う。
【００８０】
具体的には、グループＸ１〜Ｘ６の受診者が携帯するＩＣカードの情報、或いは電子カルテの情報などを利用して検査の進行状況を把握する。その他、監視カメラの映像による確認や目視での確認に基づいて指示を出してもよい。
【００８１】
以上説明した要領で検査を進めることで、グループＸ１〜Ｘ６の受診者は、スムーズに多くの種類の検査を受診することができる。また、受診者数の増減や医療行為の進行状況の変化にもフレキシブルに対応できる。
【００８２】
（第２の実施の形態）
第２の実施の形態に係る医療エリアは、第１の実施の形態に係る医療エリア１０を分割し、一部のみを先に完成させ、後日、残りの部分を増築することで全体を完成させるものである。
【００８３】
図６、７に示すように、例えば、医療エリア１０をＹ−Ｙ線の位置で２つに分割し、医療エリア１０のブロックＢ１に相当する部分を優先部分として先に完成させ医療エリア５０とし、後日、ブロックＢ２に相当する部分を増築する。
【００８４】
具体的には、医療エリア１０をＹ−Ｙ線の位置である、施設内通路１２の分割位置を示す一点鎖線１２ａと１２ｂ、待合兼用通路１４Ａの間仕切り位置を示す破線１８Ａ１と待合兼用通路１４Ｄの間仕切り位置を示す破線１８Ｃ１、待合室２４Ａの間仕切り位置を示す破線２６Ａ１と待合室２４Ｄの間仕切り位置を示す破線２６Ｃ１、医療室３２Ｂと３２Ｃの間の壁３４Ｂ、医療室３２Ｈと医療室３２Ｉの間の壁３４Ｈ、医療スタッフ室４０の分割位置を示す一点鎖線４０Ｃの位置で区切り、ブロックＢ１の範囲を医療エリア５０としている。
【００８５】
医療エリア５０は、分割位置Ｙ−Ｙに仕切壁４８を設け、医療エリア５０を閉じた空間としている。仕切壁４８の隣には増築エリア５２が確保されている。
【００８６】
これにより、医療エリア５０は、施設内通路５６で３方が囲まれている。施設内通路５６の内側には、施設内通路５６の内周面と隣接して４つの待合兼用通路１４Ａ、１４Ｄ、１４Ｅ、１４Ｆが設けられている。
【００８７】
また、待合兼用通路１４Ａ、１４Ｄ、１４Ｅ、１４Ｆには、それぞれ施設内通路５６と出入りできる一般出入口１６Ａ、１６Ｄ、１６Ｅ、１６Ｆが設けられている。
【００８８】
これにより、４つのグループＸ１、Ｘ４、Ｘ５、Ｘ６の受診者が、他のグループの受診者と出会うことなく待機できる。
【００８９】
待合兼用通路１４Ａ、１４Ｄ、１４Ｅ、１４Ｆの内側には、待合室２４Ａ、２４Ｄ、２４Ｅ、２４Ｆが設けられ、仕切壁に設けられたドアで移動可能とされている。
【００９０】
待合室２４Ａ、２４Ｄ、２４Ｅ、２４Ｆの内側には、医療室３２Ａ、３２Ｂ、３２Ｉ、３２Ｊ、３２Ｋ、３２Ｌが設けられている。これにより、４つのグループＸ１、Ｘ４、Ｘ５、Ｘ６が６つの医療室３２Ａ、３２Ｂ、３２Ｉ、３２Ｊ、３２Ｋ、３２Ｌで検査を受けることができる。複数のグループが検査を受ける手順は既述した通りであり、省略する。
【００９１】
次に、この構成において、最初の検査を終了し、次の検査を受けるための受診者の移動について説明する。
【００９２】
図８に示すように、例えば、グループＸ１を除くグループＸ４、Ｘ５、Ｘ６は、待合室２４Ａ、２４Ｄ、２４Ｅ、２４Ｆの各待合室間出入口３０Ｄ、３０Ｅ、３０Ｆを通り時計回りに移動することで、他のグループと出会うことなく移動し、次の検査を受けることができる。
【００９３】
一方、グループＸ１は、待合兼用通路１４Ａに出て、待合兼用通路１４Ｆ、１４Ｅ、１４Ｄの順に反時計回りに移動し、待合兼用通路１４Ｄから一般出入口１６Ｄを通り待合室２４Ｄに入る。
【００９４】
このとき、グループＸ６は、グループＸ１が待合室２４Ａから待合兼用通路１４Ａへ移動したのを確認後待合室２４Ａに入り、グループＸ１は、グループＸ４が待合室２４Ｄから待合室２４Ｅへ移動したのを確認後、待合室２４Ｄに入る。
【００９５】
順次、このような方向に移動することで、他のグループと出会うことなく次の検査を受けることができる。
【００９６】
次に、増設エリア５２に残りの部分を増築する場合について説明する。
図９に示すように、医療エリア５４は、既に完成している医療エリア５０の隣の増築エリア５２に増築する。このとき、医療エリア５４と医療エリア５０の接合部は、医療エリア５０に設けた仕切壁４８を取り除き完成させる。
これにより、既述の医療エリア１０と同一の作用、効果を得ることができる。
【００９７】
（第３の実施の形態）
第３の実施の形態に示す医療施設は、第１の実施の形態で説明した医療エリア１０を、異なるフロアに複数設けた医療施設である。
【００９８】
図１０に示すように、医療エリア１３０の待合兼用通路１３６Ａの隅角部には、垂直移動手段であるエレベータ１３７が設けられている。
【００９９】
また、待合兼用通路１３６Ｂの隅角部にはエレベータ１３８が、待合兼用通路１３６Ｃの隅角部にはエレベータ１３９が、待合兼用通路１３６Ｅの隅角部にはエレベータ１４０がそれぞれ設けられている。
【０１００】
これにより、受診者は、エレベータ１３７〜１４０を利用して、上階又は下階から施設内通路１３２を通らずに待合兼用通路１３６Ａ、１３６Ｂ、１３６Ｃ、１３６Ｅに直接入ることができる。エレベータ１３７〜１４０を利用した受診者は、検査を受ける待合兼用通路１３６Ａ〜１３６Ｆに進み、既述の要領で検査を受けることができる。
【０１０１】
エレベータ１３７、１３８、１３９、１４０の利用計画についても、予めスケジュールを立てておけば、他のグループと出会うことを避けることができる。
【０１０２】
このように、エレベータ１３７、１３８、１３９、１４０から、直接に待合兼用通路１３６Ａ、１３６Ｂ、１３６Ｃ、１３６Ｅに入ることができることで、例えば、グループＸ１〜Ｘ６が検査を受けているときに、他のグループであるグループＸ７を一時的に受け入れることもできるようになる。
【０１０３】
具体的には、グループＸ７がエレベータ１３８を使い他の階から、待合兼用通路１３６Ｂに入り、医療室１４８Ｄでの検査のみを受け、そのまま元の階に戻る場合を考える。
【０１０４】
この場合、通路仕切壁１４０を待合兼用通路１３６Ｂに予め設置しておき、通路仕切壁１４０で待合兼用通路１３６Ｂを待合兼用通路１３６Ｂ１と待合兼用通路１３６Ｂ２に分割する。
【０１０５】
これにより、医療室１４８Ａ〜１４８Ｃで検査を終えたグループＸ１は、未だグループＸ７が検査を終えて元の階に戻っていない場合には、待合兼用通路１３６Ｂ１で、グループＸ７が検査を終え、再び他の階へ去るまで待機する。
【０１０６】
グループＸ７が去った後、通路仕切壁１４０を取り外し、グループＸ１は医療室１４８Ｄで検査を受ける。
このように、鉛直方向に同じ構成の複数の医療エリア１３０を設け、エレベータ１３７、１３８、１３９、１４０で待合兼用通路１３６Ａ、１３６Ｂ、１３６Ｃ、１３６Ｅに直接入れる構成とすることで、複数のグループのプライバシーを護りながらスムーズな検査ができる。また、一時的に、他のグループの検査を受け入れることができるようになる等のメリットが生じる。
【図面の簡単な説明】
【０１０７】
【図１】本発明の第１の実施の形態に係る医療エリアの基本構成を示す図である。
【図２】本発明の第１の実施の形態に係る医療エリアの基本構成を示す図である。
【図３】本発明の第１の実施の形態に係る医療エリアの受診者の移動を示す図である。
【図４】本発明の第１の実施の形態に係る医療エリアの受診者の移動を示す図である。
【図５】本発明の第１の実施の形態に係る医療エリアの受診者の移動を示す図である。
【図６】本発明の第２の実施の形態に係る医療エリアの基本構成を示す図である。
【図７】本発明の第２の実施の形態に係る医療エリアの基本構成を示す図である。
【図８】本発明の第２の実施の形態に係る医療エリアの基本構成を示す図である。
【図９】本発明の第２の実施の形態に係る医療エリアの基本構成を示す図である。
【図１０】本発明の第３の実施の形態に係る医療エリアの基本構成を示す図である。
【符号の説明】
【０１０８】
１０    医療エリア
１２    施設内通路
１４    待合兼用通路
１６    一般出入口
１８    通路仕切壁
２４    待合室
２６    待合仕切壁
３０    待合室間出入口
３２    医療室
３４    医療仕切壁
３６    スタッフ出入口
４０    医療スタッフ室
４４    待合出入口
４６    受診者出入口
５２    増築エリア
６６    通路間出入口
【図１】
0005215688.tif 000002
【図２】
0005215688.tif 000003
【図３】
0005215688.tif 000004
【図４】
0005215688.tif 000005
【図５】
0005215688.tif 000006
【図６】
0005215688.tif 000007
【図７】
0005215688.tif 000008
【図８】
0005215688.tif 000009
【図９】
0005215688.tif 000010
【図１０】
0005215688.tif 000011